(57)【要約】【課題】    本発明は、残土中の軽量物と重量物とを洗浄しながら分別することができる残土分別装置を提供することを目的としている。【解決手段】    残土分別装置１は、残土４と水とを受け入れる槽２と、この槽２内に設けられ、槽２内の残土４と水とを攪拌する回転体３と、槽２内へ水を供給する水供給管９と、槽２よりあふれ出る水を受け入れる受入部８とを備えている。【選択図】図２
2005138032.tif 000002
【特許請求の範囲】
【請求項１】
残土と水とを受け入れる槽と、
この槽内に設けられ、前記槽内の前記残土と水とを攪拌する回転体と、
前記槽内へ水を供給する水供給管と、
前記槽よりあふれ出る水を受け入れる受入部とを備えた
ことを特徴とする残土分別装置。
【請求項２】
残土と水とを受け入れる槽と、
この槽内に設けられ、前記槽内の前記残土と水とを攪拌する回転体と、
前記槽内へ水を供給する水供給管と、
前記槽よりあふれ出る水を受け入れる受入部とを備え、
前記残土と水とを受け入れた前記槽内の前記回転体の回転により、前記槽内の前記残土と水とを攪拌すると共に、前記水供給管から前記槽内へ水を供給して前記槽より水があふれ出るようにして、前記受入部へ前記残土に含まれる軽量物を前記槽よりあふれ出る水により導いて、前記残土から前記軽量物を分別させる
ことを特徴とする残土の分別方法。
【請求項３】
残土と水とを受け入れると共に、底にストレ−ナ−を有する槽と、
前記ストレ−ナ−に対向するように前記槽内に設けられ、前記槽内の前記残土と水とを攪拌する回転体と、
前記槽内へ水を供給する水供給管と、
前記槽よりあふれ出る水を受け入れる受入部と、
前記ストレ−ナ−を通過した前記残土を含む水を前記槽の外へ導く第１の通路と、
前記ストレ−ナ−の外側に位置する前記槽の底部に設けられた開口部に連通する第２の通路とを備えた
ことを特徴とする残土分別装置。
【請求項４】
残土と水とを受け入れると共に、底にストレ−ナ−を有する槽と、
前記ストレ−ナ−に対向するように前記槽内に設けられ、前記槽内の前記残土と水とを攪拌する回転体と、
前記槽内へ水を供給する水供給管と、
前記槽よりあふれ出る水を受け入れる受入部と、
前記ストレ−ナ−を通過した前記残土を含む水を前記槽の外へ導く第１の通路と、
前記ストレ−ナ−の外側に位置する前記槽の底部に設けられた開口部に連通する第２の通路とを備え、
前記残土と水とを受け入れた前記槽内の前記回転体の回転により、前記槽内の前記残土と水とを攪拌すると共に、前記水供給管から前記槽内へ水を供給して前記槽より水があふれ出るようにして、前記受入部へ前記残土に含まれる軽量物を前記槽よりあふれ出る水により導き、
前記槽の下方へ移動した前記残土に含まれる重量物の内、石、礫等の重いものは前記回転体の外周に移動して前記第２の通路から前記槽の外へ、前記槽の下方へ移動した前記残土に含まれる前記重量物の内、土等の軽いものは、前記回転体の中心部へと移動し、前記第１の通路から前記槽の外へと導かれることを特徴とする残土の分別方法。
【発明の詳細な説明】
【技術分野】
【０００１】
本発明は、残土分別装置及び残土の分別方法に係り、特に、残土中の軽量物と重量物とを洗浄しながら分別することができる残土分別装置及び残土の分別方法に関する。
【背景技術】
【０００２】
残土、例えば、建築物を解体した後に生じる、所謂「建設残土」の再利用を図る機械として、例えば、建設副産物の搬送式分級選別機がある（例えば、特許文献１参照）。
これは、原料流れの上流から下流に向って網目を小としたネット式搬送機を使用して、建設副産物の大きさに応じて分別するものである。
【特許文献１】特開２０００−１８９８９９公報（図１及び図２参照）。
【発明の開示】
【発明が解決しようとする課題】
【０００３】
しかしながら、建設副産物には、例えば、木片、プラスチック片、皮革、ゴム、紙、フィルム等の軽量物が含まれており、大きさだけでは分別できず、例えば、ホッパ−を通過できない大きさの木片、プラスチック片、皮革、ゴム、紙、フィルム等の軽量物は、手で除かない限り、ホッパ−内に留まり、他の資材の処理を遅らせ、作業性が良くないという問題点があった。
本発明は、上述した問題点を考慮してなされたもので、残土中の軽量物と重量物とを洗浄しながら分別することができる残土分別装置及び残土の分別方法を提供するものである。
【課題を解決するための手段】
【０００４】
上記目的を達成するために、請求項１記載の残土分別装置は、残土と水とを受け入れる槽と、この槽内に設けられ、前記槽内の前記残土と水とを攪拌する回転体と、前記槽内へ水を供給する水供給管と、前記槽よりあふれ出る水を受け入れる受入部とを備えたものである。
【０００５】
また、請求項２記載の残土の分別方法は、残土と水とを受け入れる槽と、この槽内に設けられ、前記槽内の前記残土と水とを攪拌する回転体と、前記槽内へ水を供給する水供給管と、前記槽よりあふれ出る水を受け入れる受入部とを備え、前記残土と水とを受け入れた前記槽内の前記回転体の回転により、前記槽内の前記残土と水とを攪拌すると共に、前記水供給管から前記槽内へ水を供給して前記槽より水があふれ出るようにして、前記受入部へ前記残土に含まれる軽量物を前記槽よりあふれ出る水により導いて、前記残土から前記軽量物を分別させるものである。
【０００６】
また、請求項３記載の残土分別装置は、残土と水とを受け入れると共に、底にストレ−ナ−を有する槽と、前記ストレ−ナ−に対向するように前記槽内に設けられ、前記槽内の前記残土と水とを攪拌する回転体と、前記槽内へ水を供給する水供給管と、前記槽よりあふれ出る水を受け入れる受入部と、前記ストレ−ナ−を通過した前記残土を含む水を前記槽の外へ導く第１の通路と、前記ストレ−ナ−の外側に位置する前記槽の底部に設けられた開口部に連通する第２の通路とを備えたものである。
【０００７】
また、請求項４記載の残土の分別方法は、残土と水とを受け入れると共に、底にストレ−ナ−を有する槽と、前記ストレ−ナ−に対向するように前記槽内に設けられ、前記槽内の前記残土と水とを攪拌する回転体と、前記槽内へ水を供給する水供給管と、前記槽よりあふれ出る水を受け入れる受入部と、前記ストレ−ナ−を通過した前記残土を含む水を前記槽の外へ導く第１の通路と、前記ストレ−ナ−の外側に位置する前記槽の底部に設けられた開口部に連通する第２の通路とを備え、前記残土と水とを受け入れた前記槽内の前記回転体の回転により、前記槽内の前記残土と水とを攪拌すると共に、前記水供給管から前記槽内へ水を供給して前記槽より水があふれ出るようにして、前記受入部へ前記残土に含まれる軽量物を前記槽よりあふれ出る水により導き、前記槽の下方へ移動した前記残土に含まれる重量物の内、石、礫等の重いものは前記回転体の外周に移動して前記第２の通路から前記槽の外へ、前記槽の下方へ移動した前記残土に含まれる前記重量物の内、土等軽いものは、前記回転体の中心部へと移動し、前記第１の通路から前記槽の外へと導かれるものである。
【発明の効果】
【０００８】
請求項１記載の残土分別装置によれば、水供給管より槽に水を供給して回転体を回転することにより、槽内の残土と水とが攪拌され、残土に含まれる重量物は槽の下へ、残土に含まれる軽量物（軽量物は、例えば、木片、プラスチック片、皮革、ゴム、紙、フィルム等である。）は槽の上へと移動し易くなると共に、該軽量物は浮上し、浮上した軽量物は槽よりあふれ出る水により、受入部へと導かれ、残土中の軽量物と重量物とを洗浄しながら分別することができる。
【０００９】
また、請求項２記載の残土の分別方法によれば、水供給管より槽に水を供給して回転体を回転することにより、槽内の残土と水とが攪拌され、残土に含まれる重量物は槽の下へ、残土に含まれる軽量物（軽量物は、例えば、木片、プラスチック片、皮革、ゴム、紙、フィルム等である。）は槽の上へと移動し易くなると共に、該軽量物は浮上し、浮上した軽量物は槽よりあふれ出る水により、受入部へと導かれ、残土中の軽量物と重量物とを洗浄しながら分別することができる。
【００１０】
また、請求項３記載の残土分別装置によれば、前述した請求項１記載の発明の効果に加え、回転体の回転により槽内が攪拌されて重量物は槽の下方へと移動すると共に、下方へ移動した重量物の内、石、礫等の重いものは回転体の外周に、重量物の内、土等の等の軽いものは回転体の中心部へと移動し、重量物の中でも軽いものと重いものとに洗浄しながら分別することができる。
【００１１】
また、請求項４記載の残土分別装置によれば、前述した請求項３記載の発明の効果に加え、回転体の回転により槽内が攪拌されて重量物は槽の下方へと移動すると共に、下方へ移動した重量物の内、石、礫等の重いものはストレ−ナ−の外側に位置する第２の通路から、重量物の内、土等の等の軽いものはストレ−ナ−を介して第１の通路から、槽の外へとそれぞれ導かれ、重量物の中でも軽いものと重いものとに洗浄しながら分別することができる。
【実施例】
【００１２】
本発明の一実施例の残土分別装置及び残土の分別方法を図面を参照して説明する。
図１において、１は残土分別装置で、残土分別装置１は、建設工事、土木工事、埋立工事等で生じる残土を分別する装置である。
【００１３】
残土分別装置１は、残土４と水とを受け入れると共に、底にストレ−ナ−21を有する槽２を有する。ストレ−ナ−21は、例えば、小孔を有した多孔板である。                  この槽２には、ストレ−ナ−21に対向するように、回転体３が設けられている。この回転体３は、回転体３の羽根の回転により渦を形成し、槽２内の残土４と水とを攪拌すると共に、残土４を破砕する機能を有する。渦は、図２に示すように、中心部に向かって吸い込み、外周に向かって上昇するように流れる。
なお、ストレ−ナ−21、回転体３を有する槽２は、例えば、パルプ、古紙を水中で離解するパルパ−を転用して使用することができる。
【００１４】
残土４はコンベヤ５により搬送され、コンベヤ５の端部の下方に槽２が位置して、コンベヤ５の端部より槽２内に投下されるようになっている。そして、望ましくは、コンベヤ５の端部が渦の中心、つまり、槽２の中心部に向かうように投下される（図１乃至図３参照）。
６は、ストレ−ナ−21を通過した残土を含む水を槽２の外へ導く第１の通路で、７はストレ−ナ−21の外側に位置する槽２の底部に設けられた開口部22に連通する第２の通路である。この第２の通路７には、第２の通路７を開閉する開閉弁71が設けられ、開閉弁71は、槽２の底部に貯留する石、礫等の重量物の量に応じて、又は、定期的に開いて、槽２の底部に貯留する石、礫等の重量物を槽２の外へと導いている。
また、８は、槽２よりあふれ出る水を受け入れる受入部で、受入部８は槽２の外周に設けられている。９は槽２内へ水を供給する水供給管で、水供給管９の供給口91は槽２の底部に複数設けてある。
【００１５】
従って、残土４と水とを受け入れた槽２内の回転体３が回転すると、槽２内の残土４と水とが攪拌され、残土４に含まれる重量物は槽２の下へ、残土４に含まれる軽量物Ｋ（軽量物Ｋは、例えば、木片、プラスチック片、皮革、ゴム、紙、フィルム等である。）は槽２の上へと移動し易くなる。
それと共に、軽量物Ｋは浮上し、浮上した軽量物Ｋは、図３に示すように、槽２よりあふれ出る水により、受入部８へと導かれ、残土中の軽量物と重量物とを洗浄しながら分別することができる。
また、槽２の下方へ移動した残土に含まれる重量物の内、石、礫等の重いものは比重差により、回転体３の外周（外側）に移動して第２の通路７から槽２の外へ、また、槽２の下方へ移動した前記残土に含まれる前記重量物の内、土等の軽いものは、回転体３の中心部へと移動し、第１の通路６から槽２の外へと導かれて、残土を分別していく。
【００１６】
第２の通路７に導かれた石、礫等は、礫沈殿室72へと移動する。礫沈殿室72へ貯留された石、礫等は、礫沈殿室72の底部を第１の開閉弁73により開くことにより、礫回収ボックス74へと導かれる。礫回収ボックス74へと導かれた石、礫等は、洗浄されて脱水されており、再利用することができる。
礫沈殿室72には、開閉弁71が開いている間、回収水タンク11内の水が第１の水配管75から供給され、礫沈殿室72に供給された水は、逆流水となって第２の通路７から槽２へ圧入される（導入される）。なお、第１の水配管75の通路は、第１の水開閉弁76により開閉される。
77は、回収水タンク11内の水を第１の水配管75、水供給管９へ供給するポンプであり、78は、礫回収ボックス74へ貯留した水を回収水タンク11内へ水を導く第１の回収管である。
また。第１の水配管75は中途より分岐し、分岐した管は水供給管９となっている。水供給管９の通路は、水供給管開閉弁91により開閉される。
【００１７】
また、槽２よりあふれ出る水により、受入部８へと導かれた軽量物Ｋは、第１のスクリ−ン（例えば、パルプ、古紙を原料とする製紙機械に使用されているしてトロンメルスク−ンを転用することができる。）81により、軽量物Ｋと水とに分離される。
即ち、第１のスクリ−ン81を通過できない軽量物Ｋは、軽量物回収タンク82に導かれ、第１のスクリ−ン81を通過した水は、第２の回収管83により回収水タンク11へと導かれる。
【００１８】
ストレ−ナ−21を通過した残土を含む水は第１の通路６により、第２のスクリ−ン（第２のスクリ−ン61は、例えば、パルプ、古紙を原料とする製紙機械に使用されているトロンメルスク−ンを転用することができ、第１のスクリ−ン81よりスクリ−ンの目が小さいものである。）61へと導かれる。62は第１の通路６に設けられたポンプである。
第２のスクリ−ン61を通過できない砂等は、砂等回収タンク63に導かれ、第２のスクリ−ン61を通過した泥を含む水は、受け皿63’を介して沈殿槽64へと導かれる。
なお、砂等回収タンク63へと導かれた砂等は、洗浄されており、再利用することができる。
【００１９】
沈殿槽64には、トラッグチェ−ン65が設けられており、沈殿槽64に沈殿した泥を掻き揚げ脱水して泥等回収タンク66に導くようになっている。沈殿槽64内の水は、第３の回収管67により回収水タンク11へと導かれる。なお、68は回収水タンク11水を補給する水補給管である。なお、泥等回収タンク66へと導かれた泥等は、洗浄されており、再利用することができる。
【図面の簡単な説明】
【００２０】
【図１】図１は、本発明の一実施例の残土分別装置を使用した概略的図である。
【図２】図２は、図１の一部を拡大して示す概略的一部拡大図である。
【図３】図３は、図２の槽に水を供給して槽より水があふれ出るようにした状態の概略的図である。
【図４】図４は、図１の４−４線による概略的断面図である。
【符号の説明】
【００２１】
１  ・・・・・残土分別装置
２  ・・・・・槽
３  ・・・・・回転体
４  ・・・・・残土
８  ・・・・・受入部
９  ・・・・・水供給管
【図１】
2005138032.tif 000003
【図２】
2005138032.tif 000004
【図３】
2005138032.tif 000005
【図４】
2005138032.tif 000006